(57)【特許請求の範囲】
【請求項１】
各パネル（２、３）の上端面（２ａ、３ａ）の中央部でレール（５）内を走行するランナ（５ａ）に回動可能に取り付けられる折れ戸（１）の、側端パネル（２）と前記側端パネルの次の中間パネル（３）とに配設される折れ戸の接触防止装置であって、前記折れ戸を展開したときに、一端部（６ａ）が前記側端パネルの側端面（２ｃ）上に位置すると共に中央部で前記側端パネルの前記上端面の回転中心（４）と前記側端面との間に水平に回転自在に軸支される第１リンク（６）と、一端部（１０ａ）が前記第１リンクの他端部（６ｃ）に水平に揺動自在に軸支されると共に他端部（１０ｂ）が前記中間パネルの前記上端面の前記側端パネル側の端部に長孔（１０ｃ）を介して水平に揺動自在に軸支される第２リンク（１０）と、前記レール内を走行すると共に前記第１リンクの前記一端部に回動自在に取り付けられるガイド（７）とを備え、前記第１リンクの回転中心（６ｂ）の位置は、前記折れ戸を折り畳んだときに、前記ガイドが前記側端パネルの前記ランナに近接するように設定されることを特徴とする折れ戸の接触防止装置。
【請求項２】
前記第１リンク（６）と前記第２リンク（１０）は、長手方向に相互にスライド可能に連結された２つのリンク部材から成り、前記リンク部材は、スライド不能となるための固定手段（１５）を有することを特徴とする、請求項１に記載の折れ戸の接触防止装置。
【発明の詳細な説明】
【０００１】
【発明の属する技術分野】
本発明は、折れ戸と壁面又は隣り合う折れ戸同士の接触を防止することに関する。
【０００２】
【従来の技術】
折れ戸は、各パネルが天井等に取り付けられたレール内のランナに、回動自在に取り付けられる。このような折れ戸の中で、各パネルの上端面の中央部でランナに取り付けられる折れ戸については、折れ戸と壁面又は隣り合う折れ戸同士が接触する。
【０００３】
【発明が解決しようとする課題】
上述した従来の、各パネルの上端面の中央部でランナに取り付けられる折れ戸は、その開閉時等に折れ戸と壁面等が接触するため、折れ戸が破損したり、あるいは、折れ戸同士が重なり合って開閉できなくなるという問題がある。
本発明はこのような問題を解決するためになされたもので、折れ戸と壁面又は隣り合う折れ戸同士の接触による折れ戸の破損を防止することができ、また、折れ戸同士の重なり合いによる開閉不能を防止することができる折れ戸の接触防止装置を提供することを課題とする。
【０００４】
【課題を解決するための手段】
上述の課題を解決するために、本発明が採用する手段は、各パネルの上端面の中央部でレール内を走行するランナに回動可能に取り付けられる折れ戸の、側端パネルとこの側端パネルの次の中間パネルとに配設される折れ戸の接触防止装置であって、この接触防止装置は、折れ戸を展開したときに、一端部が側端パネルの側端面上に位置すると共に、中央部で側端パネルの上端面の回転中心と側端面との間に水平に回転自在に軸支される第１リンクと、一端部が第１リンクの他端部に水平に揺動自在に軸支されると共に、他端部が中間パネルの上端面の側端パネル側の端部に長孔を介して水平に揺動自在に軸支される第２リンクと、レール内を走行すると共に第１リンクの一端部に回動自在に取り付けられるガイドとを備え、上記第１リンクの回転中心の位置は、折れ戸を折り畳んだときに、ガイドが側端パネルのランナに隣り合うように設定されることにある。
【０００５】
本手段により、折れ戸の展開から折り畳みまでのあらゆる状態において、第１リンクの端部が、壁面又は隣り合う折れ戸に取り付けられた第１リンクの端部と接触するようにして、側端パネルと壁面又は隣り合う折れ戸の側端パネル同士の直接接触を防止する。
例えば、第１リンクと第２リンクは、長手方向に相互にスライド可能に連結された２つのリンク部材から成り、このリンク部材は、スライド不能となるための固定手段を有する。これにより、パネル巾が異なる種々の折れ戸に対しても、同一の第１リンク及び第２リンクが使用できるようにする。
【０００６】
【発明の実施の形態】
本発明に係る折れ戸の接触防止装置の第１実施例を、図１ないし図４を参照して詳細に説明する。
図１は、折れ戸を展開したときに、本接触防止装置を上から見た状態を示したものである。折れ戸１の各パネル２、３は、パネル２、３の上端面２ａ、３ａの中央部に取付軸（回転中心）４を夫々有し、図３に示すように、この取付軸４が天井１２等に取り付けられたレール５内を走行するランナ５ａに回動可能に軸支されて、折れ戸１が天井１２に取り付けられる。図１に示すように、折れ戸１の側端パネル２は、側端部に緩衝部材２ｂが取り付けられる。側端パネル２の次には、ヒンジ１ａを介して中間パネル３が連結される。なお、この折れ戸１は、このように天井１２に取り付けられると共に、下端面の中央部に同様の回転軸を有し、床面等に配設されたレール内のランナに回動可能に軸支されるものであってもよい。
【０００７】
本接触防止装置は、第１リンク６と第２リンク１０の２つのリンクを有する。第１リンク６は、その一端部６ａが、側端パネル２の緩衝部材２ｂの側端面２ｃ上に位置すると共に、その中央部で、側端パネル２の取付軸４と側端面２ｃとの中間近くに水平に回転自在に軸支される。第２リンク１０の一端部１０ａを、第１リンク６の他端部６ｃに水平に揺動自在に軸支する。第２リンク１０の他端部１０ｂは、中間パネル３の上端面３ａの側端パネル２側の端部に、長孔１０ｃを介して水平に揺動自在に軸支される。第１リンク６と第２リンク１０の合計全長は、このように決定される。また、第２リンク１０は、折れ戸１を展開したときに、側端パネル２の取付軸４との接触を回避するためのクランク部１０ｄと、図２に示すように、折れ戸１を折り畳んだときに、中間パネル３の回転軸４との接触を回避するための切欠部１０ｅとを有する。
【０００８】
図３に示すように、第１リンク６は、端部６ａにガイド７を有する。このガイド７は、第１リンク６の端部６ａに回動可能に取り付けられると共に、レール５内を走行して、第１リンク６の端部６ａが常にレール５の直下に位置するようにその動きを規制する。また、図２に示す第１リンク６の回転中心６ｂの位置は、折れ戸１を折り畳んだときに、図３に示すように、第１リンク６のガイド７が側端パネル２のランナ５ａに近接するように設定される。
【０００９】
次に、本折れ戸の接触防止装置の作動について、図１、図３及び図４を参照して説明する。
図１に示すように、折れ戸１を展開したとき、第１リンク６の端部６ａは側端パネル２の側端面２ｃ上に位置し、この端部６ａが壁面１１に接触する。従って、側端パネル２の緩衝部材２ｂが壁面１１に直接接触することはない。図３に示すように、折れ戸１を折り畳んだとき、第１リンク６のガイド７が側端パネル２のランナ５ａに当接し、第１リンク６の端部６ａが壁面１１に接触する。従って、側端パネル２の間仕切面２ｅが壁面１１に直接接触することはない。
【００１０】
図４に示すように、折れ戸１の展開から折り畳みまでの中間状態においても、第１リンク６と第２リンク１０の作用により、常に第１リンク６の端部６ａが壁面１１に接触する。従って、側端パネル２の緩衝部材２ｂが壁面１１に直接接触することはない。また、第２リンク１０は、中間パネル３に長孔１０ｃを介して長手方向に移動可能に軸支されているから、第１リンク６と第２リンク１０の動作はスムーズである。一方、隣り合う２つの折れ戸１についても、常に第１リンク６の端部６ａ同士が側端パネル２よりも先に接触するから、側端パネル２同士が接触したり、重なり合うことはない。従って、この折れ戸の接触防止装置により、折れ戸の展開から折り畳みまでのあらゆる状態において、折れ戸と壁面又は隣り合う折れ戸同士の接触による折れ戸の破損を防止することができ、また、折れ戸同士の重なり合いによる開閉不能を防止することができる。
【００１１】
【実施例】
本発明に係る折れ戸の接触防止装置の第２実施例を、図５を参照して説明する。
図４に示すように、第１リンク１３と第２リンク１４はともに２つのリンク部材から成り、この２つのリンク部材は、長手方向に相互にスライド可能に連結されている。ただし、この第１リンク１３と第２リンク１４は、２つのリンク部材を止めねじ（固定手段）１５により固定して、スライド不能にして夫々使用される。スライド不能にしないと、リンクとして作用しない。このように、第１リンク１３と第２リンク１４はその長さが夫々調節可能であるから、パネル巾が異なる種々の折れ戸に対して使用することができる。上記以外ついては、上述した第１実施例の場合と同様である。
【００１２】
【発明の効果】
以上詳細に説明したように、本発明の折れ戸の接触防止装置は、各パネルの上端面の中央部でレール内を走行するランナに回動可能に取り付けられる折れ戸の、側端パネルとこの側端パネルの次の中間パネルとに配設される折れ戸の接触防止装置において、折れ戸を展開したときに、一端部が側端パネルの側端面上に位置すると共に、中央部で側端パネルの上端面の回転中心と側端面との間に水平に回転自在に軸支される第１リンクと、一端部が第１リンクの他端部に水平に揺動自在に軸支されると共に、他端部が中間パネルの上端面の側端パネル側の端部に長孔を介して水平に揺動自在に軸支される第２リンクと、レール内を走行すると共に第１リンクの一端部に回動自在に取り付けられるガイドとを備え、上記第１リンクの回転中心の位置は、折れ戸を折り畳んだときに、ガイドが側端パネルのランナに近接するように設定される。従って、折れ戸と壁面又は隣り合う折れ戸同士の接触による折れ戸の破損を防止することができ、また、折れ戸同士の重なり合いによる開閉不能を防止することができるという優れた効果を奏する。
【図面の簡単な説明】
【図１】本発明の第１実施例を備えた折れ戸のパネルを展開して示す平面図である。
【図２】図１のパネルを折り畳んだときの第１実施例を示す平面図である。
【図３】図２のIII−III線矢視図である。
【図４】折れ戸と壁面及び折れ戸同士の接触防止を示す平面図である。
【図５】図２に相当する図であり、第２実施例を示す。
【符号の説明】
１  折れ戸、１ａ  ヒンジ、２  側端パネル、２ａ  上端面、２ｂ  緩衝部材、２ｃ  側端面、２ｅ  間仕切面、３  中間パネル、３ａ  上端面、４  取付軸、５  レール、５ａ  ランナ、６  第１リンク、６ａ  端部、６ｂ  回転中心、６ｃ  端部、７  ガイド、１０  第２リンク、１０ａ，１０ｂ  端部、１０ｃ長孔、１０ｄ  クランク部、１０ｅ  切欠部、１１  壁面、１２  天井、１３第１リンク、１４  第２リンク、１５  止めねじ
【図１】
0004009924.tif 000002
【図２】
0004009924.tif 000003
【図３】
0004009924.tif 000004
【図４】
0004009924.tif 000005
【図５】
0004009924.tif 000006